(57)【要約】【課題】おもりを底部に取り付けた集魚用まき餌入れ容器において、おもりによる鉛害を防止し、おもりが脱落しにくい状態で取り付けできるようにする。【解決手段】まき餌を収納する容器本体（１）の底部に、回り止めされた取付ねじ（１５）を設ける。この底部に形成した取付凹部（１６）には、おもり（１７）の上部が嵌入する。このおもり（１７）は、表面がプラスチック材料で被覆されており、表面層（１９）の周面は上記取付凹部（１６）の内周面にほぼ内接する。このおもりの周面には、Ｏリング（２２）が設けられている。上記取付ねじ（１５）におもりをねじ着した際、取付凹部（１６）の内周面（２０）とおもり（１７）の周面間にＯリングが介在しているので、おもりの回動は拘束され、脱落が防止され、また表面層（１９）により鉛害を生じないようにできる。【選択図】        図２
2004208629.tif 000002
【特許請求の範囲】
【請求項１】
プラスチック製の筒状の容器本体の底部に金属製のおもりをねじ着した集魚用まき餌入れ容器において、上記容器本体の底面に形成した取付凹部に内接するよう上記おもりの表面をプラスチック材料で被覆して表面層を形成し、該おもりの周面を上記取付凹部に弾性的に圧着させて上記おもりをねじ着したことを特徴とする集魚用まき餌入れ容器。
【請求項２】
上記おもり若しくは取付凹部に弾性部材を設けた請求項１に記載の集魚用まき餌入れ容器。
【請求項３】
上記弾性部材はゴム材料、軟質プラスチック材料等の軟質材料製のＯリングである請求項２に記載の集魚用まき餌入れ容器。
【請求項４】
上記弾性部材は金属材料製のストッパーリングである請求項２に記載の集魚用まき餌入れ容器。
【請求項５】
上記弾性部材は、表面層と一体に成形されている請求項２に記載の集魚用まき餌入れ容器。
【請求項６】
上記おもりの表面層は有弾性のプラスチック材料で形成され、該表面層に圧着するよう上記取付凹部の内周面に突状部を形成した請求項１に記載の集魚用まき餌入れ容器。
【発明の詳細な説明】
【０００１】
【発明の属する技術分野】
本発明は、海釣り等に用いる集魚用まき餌入れ容器に関する。
【０００２】
【従来の技術】
集魚用まき餌入れ容器として金属製やプラスチック製の種々のかごや容器等が知られている。例えば、プラスチック製の場合は、プラスチック材料で上筒、下筒を含む筒状の容器本体を構成し、該容器本体の底部に鉛等の金属製のおもりをねじ止めしているが、簡単におもりの重量を変えることができず、またねじが緩んで上記おもりが脱落しやすかったり、鉛により魚貝類等に鉛害を与えたり、海底におもりが当った際の衝撃音で魚が逃げやすい等の問題を生じることがあった。そのため、増加用おもりを収納する基準おもりをビスやボルトで内筒に固定したり、（例えば、特許文献１参照）、金属製のおもり体と金網体とからなる集魚用餌かごにおいておもり体を軟質の合成樹脂からなる被覆材で被覆する構成（例えば、特許文献２参照）が提案されている。
【０００３】
しかし、上記特許文献１に記載のコマセケースでは、おもりが露出しているので鉛害等の問題を解決することができず、また上記特許文献２に記載の集魚用餌かごでは、金属製のおもり体に金網体が固定されているから、目的に応じておもりだけを重量や色彩の異なるものに交換することができない。
【０００４】
【特許文献１】
実開昭６３−１０１０７８号公報（第１図、第２図）
【特許文献２】
実開平５−３１５７８号公報（第２図）
【０００５】
【発明が解決しようとする課題】
本発明の解決課題は、集魚用まき餌入れ容器において、おもりを脱落しにくく、鉛害等も生じないようにした集魚用まき餌入れ容器を提供することである。
【０００６】
【課題を解決するための手段】
本発明によれば、プラスチック製の筒状の容器本体の底部に金属製のおもりをねじ着した集魚用まき餌入れ容器において、上記容器本体の底面に形成した取付凹部に内接するよう上記おもりの表面をプラスチック材料で被覆して表面層を形成し、該おもりの周面を上記取付凹部に弾性的に圧着させて上記おもりをねじ着したことを特徴とする集魚用まき餌入れ容器が提供され、上記課題が解決される。
【０００７】
【発明の実施の形態】
図面は本発明の一実施例を示し、まき餌を収納する容器本体（１）は、プラスチック材料で作られ、投入口（４），（５）を有する上筒（２）、下筒（３）を有し、該上筒（２）と下筒（３）は相対的に軸方向に摺動可能にかつ周方向に回転可能に組み合わされている。また、両筒の中心には、線部材（６）が設けられ、該線部材（６）の上部は線部材をつぶして形成した径大部（７）が上筒（２）にねじ着した調整ねじ（８）の内段部（図示略）に当るまで該調整ねじ（８）に挿通され、その先端に設けたねじ部（９）にキャップ（１０）を固着してある。該線部材（６）の下部は下筒（３）の底壁（１１）を通って下方に延出し、下端に設けたねじ部（１２）に抜止ナット（１３）をねじ着して適宜の接着剤で接着することにより抜け止めしてある。このようにして該線部材により両筒間の往復運動の距離を制限している。なお、これらの構成は実公平２−２２３０号公報等により公知であり、また、その他種々の構造に形成することができるが、本発明の要旨ではないので、詳細な説明を省略する。
【０００８】
上記下筒（３）の底壁（１１）には、上記線部材（６）を挿通する孔（１４）を有する取付ねじ（１５）が設けられている。該取付ねじ（１５）は、図２に示す実施例では頭部を上記底壁（１１）にインサート成形等により回り止め状態で固定してあるが、その他適宜の方法で回り止めしてもよく、また取付ねじを独立して形成せずに後記するように底壁（１１）と一体的に成形することもできる。
【０００９】
上記下筒（３）の底面には取付凹部（１６）が形成され、該取付凹部内におもり（１７）の上部が取り付けられている。該おもり（１７）は、通常、鉛で作られるが、その他適宜の金属材料で作ることもでき、中央部に上記取付ねじ（１５）にねじ着するための埋込ナット（１８）を設け、表面を適宜のプラスチック材料で被覆してある。プラスチック材料により成形された表面層（１９）の厚さは、おもりの上部を上記取付凹部（１６）に嵌入した際、該取付凹部（１６）の内周面（２０）にほぼ内接する程度の厚さに形成してある。また、魚に適応した色に交換できるよう複数の色や蛍光色の表面層（１９）を有する重量が同じおもりを用意することができる。なお、容器本体（１）とおもりの表面層（１９）の色は同色にすることが好ましいが、その組み合せは自由である。
【００１０】
上記おもり（１７）の周面は上記取付凹部に弾性的に圧着されている。図２に示す実施例では、おもりの周面と上記取付凹部（１６）の内周面（２０）の間に、該おもりの上部を取付凹部に嵌入した際、該おもりの回動に抵抗を与えるよう弾性部材（２１）が設けられている。該弾性部材（２１）としては、種々の部材を用いることができ、図３（Ａ）に示す実施例ではゴム材料や軟質プラスチック材料等の軟質材料で作られたＯリング（２２）を上記表面層（１９）に形成した受溝（２３）に嵌着してある。また、図３（Ｂ）に示すように有弾性、耐蝕性のある金属材料でＣ型クリップ状のストッパーリング（２４）を上記受溝（２３）に嵌着したり、有弾性のプラスチック材料で上記表面層（１９）を形成する際、該表面層と一体的な環状突部（２５）として構成してもよい（図３（Ｃ））。なお、上記弾性部材は、下筒（３）の取付凹部（１６）の内周面（２０）側に適宜上述の如き部材を用いて形成することもでき、上記表面層（１９）を有弾性のプラスチック材料で平滑に形成し、該表面層に圧着するよう上記取付凹部の内周面に突状部等を形成してもよい（図示略）。
【００１１】
上記取付凹部（１６）の内周面（２０）は平滑面に形成してあるが、上述のように表面層等に圧着するよう山形等の凹凸面や粗面に形成したり、図４に示すようにおもりを充分にねじ着した際に上記弾性部材（２１）が係合するよう段部（２６）や受溝（図示略）を形成してもよい。
【００１２】
図３に示す如き表面層（１９）を有するおもり（１７）は、図において上部が円柱状に形成され、下部が円錐状に形成されているので、上記円柱状部分の直径を同じに形成し、長さを変化させると種々の重量のおもりを用意することができ、その他適宜の形状に形成してもよい。
【００１３】
上述のように構成されたおもり（１７）は、上部が上記取付凹部（１６）に嵌入され、上記取付ねじ（１５）にナット（１８）をねじ着することにより下筒（３）の底壁（１１）に取り付けられる。取付状態において、上記弾性部材（２１）が取付凹部（１６）の内周面（２０）とおもり（１７）の周面間に介在したり、上記表面層が弾性的に圧着されるので、該おもりの回動は拘束され、海中に投入する操作やまき餌を容器本体内に充填する操作等の通常の取扱時におもりが自由に回動することはなく、脱落するおそれが少ない。重量の異なるおもりや色違いのおもりに交換する場合は、該おもりの下端等をつかんで積極的に回動させれば、該おもりを交換することができる。
なお、この際、滑り止め作用を奏するよう上記表面層の表面に軸方向に延びる適宜のリブ等を一体的に形成しておくこともできる。
【００１４】
図５は、取付ねじ（２７）を下筒（３）の底壁（１１）と一体的に形成した実施例が示されている。該取付ねじ（２７）の孔（２８）に挿通される線部材（２９）は、上記図２に示す如き線部材（６）を用いることができるが、図に示す実施例では、線部材（２９）の下部をつぶして上記孔（２８）を挿通しないよう径大部（３０）を形成し、上部に図２に示すねじ部（９）よりも長いねじ部（３１）を設け、上方から抜止ナット（３２）をねじ着した後に該抜止ナットが調整ねじの下部に当接する位置まで上記調整ねじ（８）に挿通し、キャップ（１０）を上端に取り付けるようにしてある。このような実施例においても、上述とほぼ同様に表面層（１９）を有するおもり（１７）を取付ねじ（２７）に脱落しないようにねじ着することができ、しかも容易に交換することができる。
【００１５】
【発明の効果】
本発明は上記のように構成され、容器本体の底面に形成した取付凹部に内接するようおもりの表面をプラスチック材料で被覆して表面層を形成し、該おもりの周面を上記取付凹部に弾性的に圧着させて上記おもりを容器本体の底面にねじ着するようにしたので、おもりは自由な回動が拘束され、取扱中や海底に当ったりしても勝手にゆるんで脱落することがなく、また、おもりの全面が被覆されているから、鉛害を生じるおそれもない。
【００１６】
その上、該おもりをつかんで積極的に回動させれば、簡単に取り外すことができるので、重量が相違する複数のおもりを用意しておくことにより、容易におもりの重量を変えることができ、色彩の異なる表面層を有するおもりを用意しておけば魚に対応した最適のおもりを使用することができる。
【図面の簡単な説明】
【図１】本発明の一実施例を示す斜視図。
【図２】一部の拡大断面図。
【図３】（Ａ），（Ｂ）はおもりの斜視図、（Ｃ）はおもりの断面図。
【図４】他の実施例を示す一部の断面図。
【図５】さらに他の実施例を示す一部の断面図。
【符号の説明】
１…容器本体
２…上筒
３…下筒
１１…底壁
１５…取付ねじ
１６…取付凹部
１７…おもり
１８…埋込ナット
１９…表面層
２０…内周面
２１…弾性部材
２２…Ｏリング
２４…ストッパーリング
２５…環状突部
【図１】
2004208629.tif 000003
【図２】
2004208629.tif 000004
【図３】
2004208629.tif 000005
【図４】
2004208629.tif 000006
【図５】
2004208629.tif 000007